(57)【要約】【課題】タンパク質由来の綿状の化粧原料の酸化を防止可能に構成した化粧料を提供する。【解決手段】本発明に係る化粧料では、容器本体の上部開口をフィルム体で密閉したポーション容器の内部に、綿球状の化粧用原料を収容することとした。また、前記容器本体は、底壁の周縁より斜め外方へ向けて延設した斜面部と、同斜面部の上端縁より立設した周壁部と、同周壁部の上端縁より外方へ向けて水平に延設したフランジ部とよりなり、前記周壁部の上下方向中途部には、上部側を外方に拡径させる段差部が周方向に沿って形成されていることにも特徴を有する。【選択図】図１
2011234861.tif 000002
【特許請求の範囲】
【請求項１】
容器本体の上部開口をフィルム体で密閉したポーション容器の内部に、綿球状の化粧用原料を収容してなる化粧料。
【請求項２】
前記容器本体は、底壁の周縁より斜め外方へ向けて延設した斜面部と、同斜面部の上端縁より立設した周壁部と、同周壁部の上端縁より外方へ向けて水平に延設したフランジ部とよりなり、前記周壁部の上下方向中途部には、上部側を外方に拡径させる段差部が周方向に沿って形成されていることを特徴とする請求項１に記載の化粧料。
【請求項３】
前記底壁は平面状に形成したことを特徴とする請求項２に記載の化粧料。
【請求項４】
前記斜面部は、外方に湾曲する曲面形状としたことを特徴とする請求項２又は請求項３に記載の化粧料。
【請求項５】
前記周壁部は、平面方向端面視において半円弧状の曲面部と直線状の平面部とよりなる角丸長方形状としたことを特徴とする請求項２〜４いずれか１項に記載の化粧料。
【請求項６】
前記周壁部の前記段差部よりも上部側には、前記周壁部を凹ませて切欠状の注ぎ口を形成したことを特徴とする請求項２〜５いずれか１項に記載の化粧料。
【請求項７】
前記容器本体は、エチレン−ビニルアルコール共重合体樹脂層を、ポリプロピレン層でサンドイッチ状とした三層構造を有することを特徴とする請求項１〜６いずれか１項に記載の化粧料。
【請求項８】
前記フィルム体は、前記ポーション容器の外側から内側にかけて、ポリエチレンテレフタレート層、アルミニウム層、ポリエチレンテレフタレート層、エチレン−酢酸ビニル共重合体を主成分とする接着性樹脂層の四層構造を有することを特徴とする請求項１〜７いずれか１項に記載の化粧料。
【発明の詳細な説明】
【技術分野】
【０００１】
本発明は、綿球状の化粧原料を収容した化粧料に関する。
【背景技術】
【０００２】
従来より、コラーゲンは、肌荒れ・シワ・キメ・くすみ形成の予防・改善や保湿効果などの抗老化防止効果を奏するものとして、多くの化粧料に配合されている。
【０００３】
特に、コラーゲンの保湿効果は非常に高く、また、生体への適合性が比較的良好であることから、肌の潤いを保つために広く愛用されている。
【０００４】
ところで、コラーゲンを配合した化粧料は、水や化粧水などの水性溶媒に溶解され、既に溶液化された物が多い。それゆえ、使用者自身がコラーゲンの濃度を濃く調整することは困難である。
【０００５】
しかし、使用者各人の肌質はそれぞれ異なっており、好みのコラーゲン濃度で使用したいという要望があった。
【０００６】
そこで、水や化粧水などの水性溶媒を適宜添加することで、所望の濃度のコラーゲン溶液を得ることのできる綿状のコラーゲンが提供されている。
【先行技術文献】
【特許文献】
【０００７】
【特許文献１】特開２００８−２１４２２６号公報
【発明の概要】
【発明が解決しようとする課題】
【０００８】
しかしながら、綿状のコラーゲンは、その重量に対する表面積が非常に大きいため、空気中の酸素によってタンパク変性を起こしやすく、溶媒に対する溶解度が極端に低下するという問題があった。
【０００９】
また、この問題は、コラーゲンに限定されるものではなく、水や化粧水等の水性溶媒に対して可溶性を示す綿状の化粧原料、特にタンパク質由来の綿状の化粧原料は同様の問題を有していた。
【００１０】
本発明は、斯かる事情に鑑みてなされたものであって、タンパク質由来の綿状の化粧原料の酸化を防止可能に構成した化粧料を提供する。
【課題を解決するための手段】
【００１１】
上記従来の課題を解決するために、請求項１に係る本発明では、化粧料において、容器本体の上部開口をフィルム体で密閉したポーション容器の内部に、綿球状の化粧用原料を収容してなることとした。
【００１２】
また、請求項２に係る本発明では、請求項１に記載の化粧料において、前記容器本体は、底壁の周縁より斜め外方へ向けて延設した斜面部と、同斜面部の上端縁より立設した周壁部と、同周壁部の上端縁より外方へ向けて水平に延設したフランジ部とよりなり、前記周壁部の上下方向中途部には、上部側を外方に拡径させる段差部が周方向に沿って形成されていることに特徴を有する。
【００１３】
また、請求項３に係る本発明では、請求項２に記載の化粧料において、前記底壁は平面状に形成したことに特徴を有する。
【００１４】
また、請求項４に係る本発明では、請求項２又は請求項３に記載の化粧料において、前記斜面部は、外方に湾曲する曲面形状としたことに特徴を有する。
【００１５】
また、請求項５に係る本発明では、請求項２〜４いずれか１項に記載の化粧料において、前記周壁部は、平面方向端面視において半円弧状の曲面部と直線状の平面部とよりなる角丸長方形状としたことに特徴を有する。
【００１６】
また、請求項６に係る本発明では、請求項２〜５いずれか１項に記載の化粧料において、前記周壁部の前記段差部よりも上部側には、前記周壁部を凹ませて切欠状の注ぎ口を形成したことに特徴を有する。
【００１７】
また、請求項７に係る本発明では、請求項１〜６いずれか１項に記載の化粧料において、前記容器本体は、エチレン−ビニルアルコール共重合体樹脂層を、ポリプロピレン層でサンドイッチ状とした三層構造を有することに特徴を有する。
【００１８】
また、請求項８に係る本発明では、請求項１〜７いずれか１項に記載の化粧料において、前記フィルム体は、前記ポーション容器の外側から内側にかけて、ポリエチレンテレフタレート層、アルミニウム層、ポリエチレンテレフタレート層、エチレン−酢酸ビニル共重合体を主成分とする接着性樹脂層の四層構造を有することに特徴を有する。
【発明の効果】
【００１９】
本発明によれば、タンパク質由来の綿状の化粧原料の酸化を防止可能に構成した化粧料を提供することができる。
【図面の簡単な説明】
【００２０】
【図１】本実施形態に係る化粧料を示した説明図である。
【図２】容器本体の内部構造を示した説明図である。
【図３】搬送時における気流を示した説明図である。
【図４】本実施形態に係る化粧料の梱包形態を示した説明図である。
【図５】本実施形態に係る化粧料の使用手順を示した説明図である。
【発明を実施するための形態】
【００２１】
本実施形態に係る化粧料は、容器本体の上部開口をフィルム体で密閉したポーション容器の内部に、綿球状の化粧用原料を収容したものである。
【００２２】
特に、本実施形態に係る化粧料は、内部に収容した綿球状の水溶性を有する化粧用原料に対し、水や化粧水等の水性溶媒を添加して、同水性溶媒に化粧用原料を溶解させ、このタンパク溶液を手肌に塗布するために用いられるものである。
【００２３】
ここで、綿球状の化粧用原料とは、水溶性の繊維状のタンパク質が乾燥されて綿状となったものを5mm〜15mm程度の球状に成形したものである。
【００２４】
ここで、繊維状のタンパク質は、皮膚に対して美容効果をもたらし、化粧用途に使用可能のであれば、特に限定されるものではなく、例えば、ケラチン、コラーゲン、エラスチン等を挙げることができる。
【００２５】
綿状（綿球状）とした繊維状タンパク質は、その重量に対する表面積が非常に大きく、空気中では特に酸化されやすい傾向にある。
【００２６】
特に、疎水傾向の強い（難溶性の）タンパク質に、親水性を向上させる官能基の付加等によって親水化処理を施して水溶性とした繊維状タンパク質は、空気中の酸素によって酸化されることにより変性して、再び難溶性となってしまうことがある。
【００２７】
そこで、本実施形態に係る化粧料では、これらの綿球状の化粧用原料をポーション容器に収容することにより、化粧料の使用者が容器を開封するまで、できるだけ酸素との接触機会を減らして、タンパク質の酸化を防止するようにしている。
【００２８】
また、本実施形態に係る化粧料の容器本体は、底壁の周縁より斜め外方へ向けて延設した斜面部と、同斜面部の上端縁より立設した周壁部と、同周壁部の上端縁より外方へ向けて水平に延設したフランジ部とよりなり、周壁部の上下方向中途部には、上部側を外方に拡径させる段差部が周方向に沿って形成している。
【００２９】
このような構成を有することにより、上部開口近傍をフランジ部に沿って水平に流れる気流が容器内方に流入して、綿球状の化粧用原料が舞い上がってしまうのを防止することができる。
【００３０】
すなわち、綿状の化粧原料を収容した化粧料は、製造時に化粧原料が舞い上がりやすく、例えば、密閉前の容器に綿状の化粧原料を収容した状態でコンベア搬送を行うと、相対的な気流が発生することにより、化粧原料が舞上げられて容器から離脱してしまう可能性があったが、段差部を備えることにより、これを回避することができる。
【００３１】
またこの段差部は、後に詳述するが、本実施形態に係る化粧料を、製品用の化粧箱等に収容した際に、使用者が化粧料を化粧箱から取り出しやすくするという効果も生起することができる。
【００３２】
また、本実施形態に係る化粧料の底壁は平面状に形成しており、容器内で調製したタンパク溶液を指先ですくい取る際に、残液が出にくいようにしている。
【００３３】
具体例を挙げて説明すると、コーヒーフレッシュ等を収容する一般のポーション容器は、底壁に同心円状の凹凸が設けることで、ポーション容器の強度向上や保形性向上を図っている。
【００３４】
しかしながら、仮に本実施形態に係る化粧料にこの同心円状の凹凸が形成されていると、底壁にタンパク溶液が残存し、指先できれいにすくい取ることが困難となってしまう。
【００３５】
そこで、本実施形態では、底壁を平面状とすることにより、指先と底壁との接触面積を可及的拡大して、タンパク溶液を指先でできるだけきれいにすくい取ることができるようにしている。
【００３６】
また、本実施形態では、前記斜面部は、外方に湾曲する曲面形状としている。これにより、斜面部と底壁とが成す角、及び、斜面部と周壁部とが成す角をできるだけ180度に近づけて、指触りを滑らかとすると共に、斜面部と底壁との接続部、及び、斜面部と周壁部との接続部にタンパク溶液が残存してしまうのを防止することができる。
【００３７】
また、綿球状の化粧原料を水性溶媒に溶解させるにあたり、容器本体内に挿入した指先で攪拌する場合、挿入した指の腹と内壁面との接触面積をできるだけ拡大させることができ、化粧原料が溶け残るのを防止できる。
【００３８】
また、前記周壁部は、平面方向端面視において半円弧状の曲面部と直線状の平面部とよりなる角丸長方形状としている。
【００３９】
このような形状とすることにより、使用者が容器本体を持つ際に、対向して設けられた平面部を指先でつまむことにより、指先と本体容器との接触面積をできるだけ大きくすることができ、本体容器を滑り落としてしまうことを防止できる。
【００４０】
また、指先との接触面積が大きくなるため、容器本体内に水性溶媒を収容した際に、指先の熱を周壁部を介して水性溶媒に伝えて、水性溶媒の温度を可及的速やかに上昇させることができるため、綿球状の化粧原料を速やかに水性溶媒に溶解させることができるとともに、調製したタンパク溶液を温めて、手肌に塗布した際に使用者が冷たさを感じるのを防止することができる。
【００４１】
また、後述するが、本実施形態に係る化粧料を前述の化粧箱に複数個収容した際に、化粧料が容器本体の胴回り方向へ回転してしまうのを防止して、化粧料を化粧箱内に整然と並べることができる。
【００４２】
また、本実施形態に係る化粧料を製造する際に、例えば、綿球状の化粧原料を容器本体内に収容し、上部開口を解放した状態でコンベア搬送する場合、予め容器本体の形状にフィットする載置穴を形成しておくことにより、コンベア上での容器本体の搬送方向を所定の方向に定めることができる。
【００４３】
なお、この平面部は、指先の形状に合わせて撓むようにしても良い。これにより、前述の曲面部に変形力が伝わるのを防止して、容器本体の全体的な変形を防ぐことができる。したがって、容器本体の容量の大きな変化を防ぎ、目測であってもできるだけ正確な濃度調整を可能とすることができる。また、指先に平面部をさらにフィットさせることができ、使用者が容器本体を落下させてしまうことを防止できる。
【００４４】
また、前記周壁部の前記段差部よりも上部側には、前記周壁部を凹ませて切欠状の注ぎ口を形成している。これにより、調製したタンパク溶液を掌などに滴下して取り出し、手肌に塗布することができる。
【００４５】
また、容器本体は、エチレン−ビニルアルコール共重合体樹脂層を、ポリプロピレン層でサンドイッチ状とした三層構造を有することとしても良い。このような構造とすることにより、ポーション容器内部に収容した綿球状の化粧原料が変性して水溶性が失われるのを可及的防止することができる。
【００４６】
また、フィルム体は、前記ポーション容器の外側から内側にかけて、ポリエチレンテレフタレート層、アルミニウム層、ポリエチレンテレフタレート層、エチレン−酢酸ビニル共重合体を主成分とする接着性樹脂層の四層構造を有するように構成しても良い。
【００４７】
このような構造とすることにより、ポーション容器内部に収容した綿球状の化粧原料が変性して水溶性が失われるのをさらに防止することができる。
【００４８】
以下、本実施形態に係る化粧料について、図面を参照しながら更に説明する。
【００４９】
図１は、本実施形態に係る化粧料Ａを示した説明図である。図１（ａ）は化粧料Ａの外観を示した斜視図であり、図１（ｂ）はフィルム体３を剥がした化粧料Ａを示す斜視図である。
【００５０】
図１（ａ）及び（ｂ）に示すように、本実施形態に係る化粧料Ａは、容器本体１の上部開口２を、フィルム体３で閉塞したポーション容器１３を備えている。容器本体１は、エチレン−ビニルアルコール共重合体樹脂層を、ポリプロピレン層でサンドイッチ状とした三層構造を有している。また、フィルム体３は、ポーション容器１３の外側から内側にかけて、ポリエチレンテレフタレート層、アルミニウム層、ポリエチレンテレフタレート層、エチレン−酢酸ビニル共重合体を主成分とする接着性樹脂層の四層構造としている。フィルム体３は、容器本体１に加熱圧着することで、接着性樹脂層によって剥離可能に接着されている。
【００５１】
また、図１（ｂ）に示すように、ポーション容器１３の内部には、綿球状の化粧料としての綿状コラーゲン球Ｂが収容されている。この綿状コラーゲン球Ｂは水溶性であり、容器本体１内に水や化粧水などの水性溶媒を収容した際に、膨潤し溶解する。
【００５２】
容器本体１は、図１（ｂ）及び図２（ａ）に示すように、凹凸のない平面状に形成された底壁４と、底壁４の周縁より斜め外方へ向けて延設した斜面部５と、同斜面部５の上端縁より立設した周壁部６と、同周壁部６の上端縁より外方へ向けて水平に延設したフランジ部７とで構成している。なお、図２（ａ）は、図１（ｂ）における容器本体１のＧ−Ｇ’断面を示した説明図である。
【００５３】
底壁４は、図２（ｂ）に示すように、平面視角丸長方形状の形状を有し、調製したコラーゲン溶液を指で掬って取り出したり、容器本体１を傾けて取り出した際に、コラーゲン溶液が残存するのを防ぐため、凹凸のない平面状としている。
【００５４】
斜面部５は、底壁４の周縁よりやや外方へ向けて緩やかに立ち上げて形成されており、しかも、やや外方へ向けて湾曲させて膨らみを持たせた形状としている。
【００５５】
これにより、底壁４と斜面部５との接続部は、斜面部５を直線状に形成した場合に比して角がやや丸められ滑らかになるため、容器本体１からコラーゲン溶液を取り出した際に、コラーゲン溶液が残存するのを防止できる。また、容器本体１内に指を挿入して綿状コラーゲン球Ｂを溶解させる際に、この底壁４と斜面部５との接続部にも指の腹が接触可能となるため、底壁４と斜面部５との接続部に綿状のコラーゲンが溶け残るのを防止することができる。なお、底壁４は、斜面部５と滑らかに接続しているため、図２（ｂ）及び（ｃ）ではその形状を破線で示している。
【００５６】
周壁部６は、斜面部５の上端縁に接続する下部周壁部８と、下部周壁部８の上端縁より外方へ水平方向に僅かに伸延して段差を形成する段差部９と、段差部９の外方端縁より上方へ向けて立設された上部周壁部１０とで構成している。
【００５７】
下部周壁部８は、斜面部５の上端縁より僅かに外方へ傾きながら上方へ立ち上がるように形成している。図２（ａ）からも分かるように、下部周壁部８の仮想延長線と、底壁４の仮想延長線とが交わる点の角度αは、９０度よりも大きく、湾曲させた斜面部５の接線（図示せず）と底壁４とが成す角の角度βよりも小さい角度としている。これらの角度は、例えば角度αを９５度〜１０５度、角度βを１３０度〜１４０度とすることができる。角度αが１０５度を上回ると、容器本体１が平面視において拡径してしまい、容器本体１を載置した際に余分にスペースを必要とすることとなり好ましくない。また、角度βが１３０度を下回ると、底壁４と斜面部５との接続部に指の腹が接触しなくなるおそれがあるため好ましくなく、１４０度を上回ると、容器本体１を載置した際に余分にスペースを必要とすることとなり好ましくない。
【００５８】
この下部周壁部８は、図２（ｂ）に示すように、図２（ａ）のＩ−Ｉ’断面視において、対向する２つの平面部２１,２１を有するオーバル形状、より具体的には角丸長方形状としている。
【００５９】
すなわち、下部周壁部８は、平面方向端面視において半円弧状の曲面部２０と、直線状の平面部２１とで構成している。
【００６０】
このような構成とすることにより、図２（ｃ）に示すように、使用者が容器本体１を把持するにあたり、親指と人差し指で対向する２つの平面部２１,２１をつまむことにより、使用者は、容器本体１をしっかりと挟持することができる。
【００６１】
また、対向する２つの平面部２１,２１は、指先で挟持した際に若干撓むように構成している。この撓みによる変形力は、平面部２１と曲面部２０との境目まで及ぶが、境目を越えて曲面部２０を変形させることはほとんどない。
【００６２】
したがって、指先に容器本体１をしっかりとフィットさせながらも、容器本体１の容積変化をできるだけ少なくして、コラーゲン溶液の濃度調整を容易としている。
【００６３】
段差部９は、図２（ａ）に示すように、下部周壁部８の上部端縁全周から容器本体１の外方へ向けて、略水平方向へ僅かに突出させて形成している。
【００６４】
上部周壁部１０は、段差部９の外方端縁から、容器本体１の内方へやや傾けて立設している。換言すれば、段差部９と上部周壁部１０とが成す角度γは、直角よりもやや小さい角度（例えば、８０度〜８９．５度、好ましくは８３度〜８７度）に形成している。このように構成することにより、例えば、容器本体１の内部に収容した綿状コラーゲン球Ｂを収容した状態でコンベア搬送を行った際に、相対的な気流が発生することにより、化粧原料が舞上げられて容器から離脱してしまうのを防止することができる。
【００６５】
このことについてより具体的に説明する。図３は、内部に綿状コラーゲン球Ｂを収容した段差部９及び上部周壁部１０を備えない容器本体100と、本実施形態に係る容器本体１とをコンベア搬送した状態を示す説明図である。図３（ａ）は段差部９及び上部周壁部１０がない容器本体100を示し、図３（ｂ）は図１（ｂ）のＨ−Ｈ’断面を示し、段差部９及び上部周壁部１０を有する容器本体１を示している。なお、図３では、容器本体100及び容器本体１は、紙面右から左方向へ搬送されている。
【００６６】
容器本体１に綿状コラーゲン球Ｂを収容し、フィルム体３を添付する工程にコンベア搬送した場合、図３（ａ）に示すように、容器本体100の上部開口102近傍には、太い破線の矢印で示すように、紙面左から右方向へ相対的な気流Ｃが発生する。
【００６７】
この際、気流Ｃの一部は、細い破線の矢印で示すように分岐流Ｄとなって本体周壁部103に沿って容器本体100の内部に侵入し、綿状コラーゲン球Ｂを浮き上がらせてしまうこととなる。
【００６８】
このようにして浮き上がった綿状コラーゲン球Ｂは、気流Ｃに吸い寄せられて、最終的には容器本体100から離脱してしまうこととなる。このような綿状コラーゲン球Ｂの離脱が発生すると、内部に綿状コラーゲン球Ｂを備えない化粧料が生じることとなり、製造上非常に好ましくない。
【００６９】
一方、本実施形態に係る容器本体１の場合、図３（ｂ）に示すように、分岐流Ｄは、まず上部周壁部１０に沿って容器本体１の内部側に流れ始める。
【００７０】
ここで、上部周壁部１０は、下方へ向かうにしたがって容器本体１の半径方向外方へ向けて拡開するよう、段差部９に対して角度γの傾きを持って立設しているため、分岐流Ｄは上部周壁部１０に沿って下方へ流れ、段差部９に至る。
【００７１】
すると分岐流Ｄは、段差部９にぶつかって流れが拡散して弱められる。従って、容器本体１の深部に至る分岐流Ｄはごく僅かとなるため、綿状コラーゲン球Ｂが舞上げられることがなく、綿状コラーゲン球Ｂの容器本体１からの離脱を効果的に防止することができる。
【００７２】
特に、図２（ａ）にも示したように、上部周壁部１０を段差部９に対して角度γの傾きを持って立設しているため、分岐流Ｄを段差部９に効率よく当接させて、綿状コラーゲン球Ｂを舞上げる原因となる分岐流Ｄを効果的に減衰させることができる。なお、この際、綿状コラーゲン球Ｂの大きさは、底壁４上に載置した際にその高さが段差部９よりも低くなる直径に形成することが肝要である。なお、角度γは、８０度を下回ると、段差部９と上部周壁部１０との接続部にコラーゲン溶液が残留しやすくなるため好ましくなく、また、８９．５度を上回ると分岐流Ｄの減衰効果が弱くなるため好ましくない。
【００７３】
図２（ａ）の説明の戻ると、上部周壁部１０の一部には、同上部周壁部１０を外方へ向けて凹ませて、切欠状の注ぎ口１４を形成している。この注ぎ口１４は、図１（ｂ）に示すように、綿状コラーゲン球Ｂを水性溶媒に溶解してコラーゲン溶液とした後に、容器本体１からコラーゲン溶液を取出す際に、コラーゲン溶液の流出を容易とするためのものである。
【００７４】
上部周壁部１０の上端縁には、フランジ部７が接続されている。このフランジ部７は、容器本体１の上部開口２を閉塞するフィルム体３の接着部として機能するとともに、前述の気流Ｃが水平に流れるよう整流するための整流板として機能する。
【００７５】
また、前述の注ぎ口１４を形成したフランジ部７は、同フランジ部７の他の部位に比して幅広に形成し、段差１５を形成して容器本体１の外方へ向けて下り段差状とし、その先端部を剥離舌片１６としている。
【００７６】
この剥離舌片１６は、フィルム体３の剥離を容易とするものであり、容器本体１にフィルム体３を貼付した際に、段差１５によって剥離舌片１６とフィルム体３との間に間隙が形成され、その間隙からフィルム体３を剥離すると容易に開封することができることとなる。
【００７７】
次に、本実施形態に係る化粧料Ａの使用形態について説明する。図４は、化粧料Ａを複数個収容した箱入化粧料Ｅを示す説明図である。
【００７８】
箱入化粧料Ｅは、化粧料収納箱３０に化粧料Ａを複数個収容して構成しており、消費者に化粧料Ａを販売する際の一形態である。
【００７９】
化粧料収納箱３０は、角形筒状の筒状体３１と、同筒状体３１より引き出し自在に収容される引出収容体３２とを備えている。
【００８０】
引出収容体３２の内部には、引出収容体３２の開口形状と略同形状の中仕切板３３が上げ底状態で配設されており、化粧料Ａを配置するための収納穴３４が複数穿設されている。
【００８１】
ここで、この収納穴３４は、図２（ｂ）にて示した下部周壁部８の断面形状と略同形状の角丸長方形状としている。
【００８２】
したがって、収納穴３４に化粧料Ａを収納した際に、収納穴３４の直線部分と、下部周壁部８の平面部２１とが接触して、化粧料Ａの周回り方向の回動を規制することとなるため、化粧料収納箱３０内で化粧料Ａを整然と配置することができる。
【００８３】
また、収納穴３４の大きさは、下部周壁部８の断面視における大きさ、具体的には、下部周壁部８と段差部９との接続部近傍の大きさとしているため、化粧料Ａの段差部９より上側が、中仕切板３３よりも上方に突出することとなり、化粧料Ａを引出収容体３２から取り出しやすく、しかもコンパクトに収容することができる。
【００８４】
次に、使用者が本実施形態に係る化粧料Ａを使用する手順について説明する。
箱入化粧料Ｅを手にした使用者は、まず、化粧料収納箱３０より化粧料Ａを取り出して、上面のフィルム体３を剥離しする。
【００８５】
次いで、図５に示すように容器本体１の平面部を指先で挟持しながら、内部に水性溶媒（本実施形態では化粧水４０）を注入する。これにより綿状コラーゲン球Ｂは、化粧水４０で湿潤状態となる。
【００８６】
次に、使用者は容器本体１の内部に指を挿入し、綿状コラーゲン球Ｂを内壁に擦りつけながら化粧水４０に溶解させ、コラーゲン溶液を調製する。この際、綿状コラーゲン球Ｂの化粧水４０への溶解が進むに従い、化粧水４０の粘性が徐々に上がる。
【００８７】
十分に溶解したことを確認したら、指先でコラーゲン溶液をすくい取り、顔や手肌に塗布して使用する。
【００８８】
また、調製したコラーゲン溶液は、容器本体１から掌に注いで使用することもできる。この場合、上部周壁部１０の一部に形成した注ぎ口より注ぐと、コラーゲン溶液の流れる方向を規制することができ、液切れも良好である。
【００８９】
上述してきたように、本実施形態に係る化粧料Ａは、容器本体１の上部開口２をフィルム体３で密閉したポーション容器の内部に、綿球状の化粧用原料（綿状コラーゲン球Ｂ）を収容してなる化粧料Ａとしたため、タンパク質由来の綿状の化粧原料の酸化を防止することができる。
【００９０】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００９１】
１  容器本体
２  上部開口
３  フィルム体
４  底壁
５  斜面部
６  周壁部
７  フランジ部
８  下部周壁部
９  段差部
１０  上部周壁部
１３  ポーション容器
１４  注ぎ口
２０  曲面部
２１  平面部
４０  化粧水
Ａ  化粧料
Ｂ  綿状コラーゲン球
【図１】
2011234861.tif 000003
【図２】
2011234861.tif 000004
【図３】
2011234861.tif 000005
【図４】
2011234861.tif 000006
【図５】
2011234861.tif 000007